(57)【要約】【課題】視聴価値の高い番組映像と低い番組映像を異なる方法で表示する放送受信装置を提供する。【解決手段】  映像又は音声データから構成される番組と該番組に関する情報とを含む放送信号を受信する受信部と、該受信部により受信された該放送信号から映像又は音声データを出力するように処理する第１及び第２の放送信号処理部と、該映像又は音声データから構成される該番組の評価値を該受信手段により受信された該番組に関する情報に基づいて解析する番組価値解析部と、該第１の放送信号処理部と該第２の放送信号処理部とから出力される該映像又は音声データを再生する再生部と、該番組価値解析部により解析された該番組の評価値に応じて該再生部による再生方法を異ならせるように制御する制御部とを備えるように構成すればよい。【選択図】  図１
2006093754.tif 000002
【特許請求の範囲】
【請求項１】
映像又は音声データから構成される番組と該番組に関する情報とを含む放送信号を受信する受信部と、
該受信部により受信された該放送信号から映像又は音声データを出力するように処理する第１及び第２の放送信号処理部と、
該第１の放送信号処理部と該第２の放送信号処理部とから出力される該映像又は音声データから構成される該番組の評価値を該受信手段により受信された該番組に関する情報に基づいて解析する番組価値解析部と、
該第１の放送信号処理部と該第２の放送信号処理部とから出力される該映像又は音声データを再生する再生部と、
該番組価値解析部により解析された該番組の評価値に応じて該第１の放送信号処理部により出力された該映像又は音声データと該第２の放送信号処理部により出力された該映像又は音声データとの該再生部による再生方法を異ならせるように制御する制御部とを備えることを特徴とする受信装置。
【請求項２】
請求項１記載の受信装置において、
視聴の優先度を設定する視聴優先度設定部を備えることを特徴とする受信装置。
【請求項３】
請求項２記載の受信装置において、
前記視聴優先度設定部により設定される視聴優先度は番組のジャンルに関するものであって、前記受信部により受信された番組に関する情報には番組のジャンル情報が含まれており、
前記番組関連情報解析部は、該番組のジャンル情報と該視聴優先度とに基づいて前記番組の評価値を決定することを特徴とする受信装置。
【請求項４】
請求項２又は３記載の受信装置において、
前記視聴優先度設定部により設定される視聴優先度は番組の複製制限に関するものであって、前記受信部により受信された番組に関する情報には番組の複製を制限する複製制限情報が含まれており、
前記番組関連情報解析部は、該複製制限情報と該視聴優先度とに基づいて前記番組の評価値を決定することを特徴とする受信装置。
【請求項５】
請求項２乃至４記載の受信装置において、
前記視聴優先度設定部により設定される視聴優先度は番組の視聴履歴に関するものであって、
前記番組関連情報解析部は、前記受信部により受信された前記番組に関する情報と該視聴優先度とに基づいて前記番組の評価値を決定することを特徴とする受信装置。
【請求項６】
請求項２乃至５記載の受信装置において、
前記視聴優先度設定部により設定される視聴優先度は番組の再放送の有無に関するものであって、前記受信部により受信された番組に関する情報には再放送に関する情報が含まれており、
前記番組関連情報解析部は、前記再放送に関する情報と該視聴優先度とに基づいて前記番組の評価値を決定することを特徴とする受信装置。
【請求項７】
請求項１乃至６記載の受信装置において、
前記再生部により前記映像データ又は音声データを再生する際に前記第１の放送信号処理部により出力される映像データと前記第２の放送信号処理部とから出力される映像データとを１画面で表示するよう合成する合成部を備えたことを特徴とする受信装置。
【請求項８】
請求項１乃至７記載の受信装置において、
前記制御部は、前記番組価値解析部により解析された前記番組の評価値が高い場合は親画面として、前記番組価値解析部により解析された前記番組の評価値が低い場合は子画面として再生するように制御することを特徴とする受信装置。
【請求項９】
請求項１乃至８記載の受信装置において、
前記番組価値解析部により解析された前記番組の評価値が低い場合は該番組を記録する記録部を有することを特徴とする受信装置。
【請求項１０】
請求項９記載の受信装置において、
前記制御部は、前記記録部に前記番組を記録する前に記録の確認を行う表示画面を出力するように制御することを特徴とする受信装置。
【請求項１１】
映像又は音声データから構成される番組と該番組に関する情報とを含む放送信号を受信する受信部と、
該受信部により受信された該放送信号から映像又は音声データを出力するように処理する第１及び第２の放送信号処理部と、
該第１の放送信号処理部と該第２の放送信号処理部とから出力される該映像又は音声データから構成される該番組の視聴価値を該受信手段により受信された該番組に関する情報に基づいて判定する番組視聴価値判定部と、
該第１の放送信号処理部と該第２の放送信号処理部とから出力される映像データを１画面で出力するように合成する合成部と、
該合成部により合成された該映像データを再生する再生部と、
該第１の放送信号処理部、該第２の放送信号処理部、該合成部、該番組視聴価値判定部及び該再生部とを制御する制御部とを有し、
該制御部は、該第１の放送信号処理部により出力された該映像又は音声データが該番組視聴価値判定部による視聴価値が高いと判断され、該第２の放送信号処理部により出力された該映像又は音声データが該番組視聴価値判定部による視聴価値が低いと判断された場合に、該第１の放送信号処理部により出力された該映像又は音声データの該再生部による再生画面が該第２の放送信号処理部により出力された該映像又は音声データの該再生部による再生画面とを異ならせるように処理することを特徴とする受信装置。
【発明の詳細な説明】
【技術分野】
【０００１】
本発明は、複数の放送信号を同時に受信することが可能な放送受信装置に関する。
【背景技術】
【０００２】
従来、上記の機能を有する放送受信装置は、図２９に示すように映像を表示する全画面表示部７００を左右に二分し、左側を左画面表示部７０１、右側を右画面表示部７０２とし、受信した放送信号に含まれる番組映像を左画面表示部７０１と右画面表示部７０２に表示するような二画面表示機能を有するタイプ、或いは、図３０に示すように全画面表示部７００全体を親画面表示部７０３とし、親画面表示部７０３の一部に子画面表示部７０４を設け、はめ込むように合成し、番組映像を親画面表示部７０３と子画面表示部７０４に表示するような親子画面表示機能を有するタイプ、若しくは、図３１に示すように全画面表示部５００の一部にマルチ親画面表示部７０５を設け、マルチ親画面表示部７０５以外の全画面表示部７００の領域をマルチ親画面表示部７０５より小さくなるよう等分化し、それらの領域をマルチ子画面表示部７０６とし、番組映像をマルチ親画面表示部７０５とマルチ子画面表示部７０６に表示するようなマルチ画面表示機能を有するタイプが主流となっていた。
【０００３】
このような機能を有する放送受信装置の場合、利用者は、例えば、親子画面表示機能を利用して主番組と副番組を親画面表示部７０３と子画面表示部７０４に表示した後、時間の経過に伴い番組内容が変化した場合、再び、親画面表示部７０３と子画面表示部７０４に表示する番組のチャンネル設定を行なう必要があり、非常に面倒であった。なお、ここで、視聴価値とは、番組をユーザがどれだけ視聴したいかの程度を示す指標であり、具体的には、ある評価値で示されるものである。視聴価値は、例えば、視聴価値が「１０」の番組Ａと「５」の番組Ｂの場合では、番組Ｂより番組Ａの方が視聴価値が高いため、「ユーザは番組Ｂより番組Ａの方を視聴する意思が強い」ということを仮想的に意味するものである。
【０００４】
上記課題に対し、利用者が、リモコン送信機などで操作することなく、番組映像の表示方法を変更することが可能となる放送受信装置が特許文献１に記載されている。
【０００５】
特許文献１に記載されている放送受信装置は、主番組を受信する主番組受信器と、副番組を受信する裏番組受信器と、主番組受信器と裏番組受信器から出力された番組データを合成する合成回路と、合成回路から出力された番組データを表示する表示装置を有し、更に、ＣＭ検出手段として、主番組受信器、裏番組受信器、および合成回路を制御する制御回路を有して構成される。
【０００６】
主番組受信器と裏番組受信器の内部は、受信アンテナに共通に接続されたチューナを有し、チューナの選局出力を増幅するＩＦ回路と、ＩＦ回路からの信号を処理した後、映像信号と音声信号を復調する信号処理回路が、チューナと縦列接続されている。合成回路は、表示装置に、主番組受信器から出力される映像データをサイズの大きい親画面に表示し、裏番組受信器から出力される映像データをサイズの小さい子画面に表示するため、ＰＩＰ（Picture In Picture）回路で構成される。
【０００７】
親画面と子画面の合成は、親画面の中にある子画面表示部分に対し、画像圧縮率に応じて走査線を間引いた子画面の映像をはめ込むことで実現される。信号処理回路は主番組の音声信号を復調すると共に、多重制御信号より主番組がＣＭ放送中であるか否かの判定を行なう。ＣＭ放送であるか否かは、音声モードがステレオであるか、モノラルであるかを判断材料とする。
【０００８】
制御回路は、その判定結果に基づいて、合成回路に対し、ＣＭ放送中である場合は、主番組受信器から出力された映像データを親画面に、裏番組受信器から出力された映像データを子画面に表示する設定を行ない、ＣＭ放送中でない場合は、主番組受信器から出力された映像データのみを表示する設定を行なう。
【０００９】
上記のようなＣＭ検出手段を設けることにより、ユーザは、主番組でＣＭが放送されるたびに、テレビジョン受像機側で、番組映像の表示方法（主番組と裏番組の表示、主番組のみ表示）の変更が可能となった。その為、利用者は、リモコンなどの操作を行なうことなく、表示方法の変更を行なうことができる。
【００１０】
【特許文献１】特開平１０−２８５４８９号公報
【発明の開示】
【発明が解決しようとする課題】
【００１１】
しかし、上記特許文献１記載の放送受信装置においては、視聴価値の低いＣＭ放送中の映像を親画面に表示し、視聴価値の高い副番組の映像を子画面に表示する機能しか有していない為、利用者にとって、視聴価値の低い番組映像より視聴価値の高い番組映像の方が視聴しにくいという課題があった。そこで、本発明では、利用者が放送受信装置で番組等を視聴する際の使い勝手を向上することを目的とする。
【課題を解決するための手段】
【００１２】
上記課題を解決するために、本発明の放送受信装置は、映像又は音声データから構成される番組と該番組に関する情報とを含む放送信号を受信する受信部と、該受信部により受信された該放送信号から映像又は音声データを出力するように処理する第１及び第２の放送信号処理部と、該第１の放送信号処理部と該第２の放送信号処理部とから出力される該映像又は音声データから構成される該番組の評価値を該受信手段により受信された該番組に関する情報に基づいて解析する番組価値解析部と、該第１の放送信号処理部と該第２の放送信号処理部とから出力される該映像又は音声データを再生する再生部と、該番組価値解析部により解析された該番組の評価値に応じて該第１の放送信号処理部により出力された該映像又は音声データと該第２の放送信号処理部により出力された該映像又は音声データとの該再生部による再生方法を異ならせるように制御する制御部とを備えるように構成する。
【発明の効果】
【００１３】
本発明によれば、ユーザは、放送受信装置で番組等を視聴する際の使い勝手を向上することができる。
【発明を実施するための最良の形態】
【００１４】
以下、本発明の放送受信装置の実施の形態について説明を行なう。最初に、図１〜図８を用いて、第１実施例の説明を行なう。
【実施例１】
【００１５】
実施例１においては、上記視聴価値がユーザの嗜好ジャンルを基準に決定される場合を考える。
【００１６】
図１は、本発明の放送受信装置の第１実施例で用いる構成図である。図１の放送受信装置１００は、第１番組受信処理部１０１、第２番組受信処理部１０２、合成部１０３、ユーザＩ/Ｆ１０４、ＯＳＤ作成部１０５、ジャンル解析部１０６、制御部１０７を有して構成される。また、第１番組受信処理部１０１は、第１選局・復調部１０１ｔ、第１分離部１０１ｓ、第１復号部１０１ｄを有して構成され、第２番組受信処理部１０２は、第２選局・復調部１０２ｔ、第２分離部１０２ｓ、第２復号部１０２ｄを有して構成される。
【００１７】
放送受信装置１００に備えた放送受信部（アンテナ）１０８が、番組の情報及び番組に関連する情報を含む放送信号を受信すると、受信された放送信号は、第１番組受信処理部１０１と第２番組受信処理部１０２に入力される。第１番組受信処理部１０１に入力された放送信号は、第１選局・復調部１０１ｔにおいて、目的の伝送波が選択された後、復調処理が行なわれ、ＴＳ（Transport Stream）が復元される。その後、第１分離部１０１ｓにおいて、ＴＳパケットの分離処理が行なわれ、ＴＳ化される前のＰＥＳ（Packetized Elementary Stream）、若しくは、ＥＳ（Elementary Stream）が復元される。その後、第１復号部１０１ｄにおいて、復号処理が行なわれ、音声データと映像データが復元され、合成部１０３に出力される。また、音声データあるいは映像データいずれか一方しか含まない放送信号を前記放送受信部１０８が受信した場合は、音声データあるいは映像データのいずれか一方のみを合成部１０３に出力する。なお、上記放送受信部１０８により受信される放送信号形態としてはアナログ信号であってもデジタル信号であっても構わない。
【００１８】
第２番組受信処理部１０１に入力された放送信号も、同様に、第２選局・復調部１０２ｔにおいて、目的の伝送波が選択された後、復調処理が行なわれ、ＴＳが復元される。その後、第２分離部１０２ｓにおいて、ＴＳパケットの分離処理が行なわれ、ＴＳ化される前のＰＥＳ、若しくは、ＥＳが復元される。その後、第２復号部１０２ｄにおいて、復号処理が行なわれ、音声データと映像データが復元され、合成部１０３に出力される。
【００１９】
ユーザＩ/Ｆ１０４は、利用者がリモコン送信機などを用いて操作したときに、リモコン送信機から発信される信号を受信し、利用者が行なった制御内容を制御部１０７に通知する。ＯＳＤ作成部１０５は、制御部１０７からの制御により、画面に図形や文字列を表示する為に必要なデータを作成し、合成部１０３にそのデータを出力する。制御部１０７は、ユーザＩ/Ｆ１０４から利用者が行なった制御内容を受け、第１番組受信処理部１０１を構成する第１選局・復調部１０１ｔ、第１分離部１０１ｓ、第１復号部１０１ｄ、第２番組受信処理部１０２を構成する、第２選局・復調部１０２ｔ、第２分離部１０２ｓ、第２復号部１０２ｄ、合成部１０３、ＯＳＤ作成部１０５を制御する。合成部１０３は、制御部１０７からの制御により、第１復号部１０１ｄ、第２復号部１０２ｄ、ＯＳＤ作成部１０５から出力されたデータ（映像又は音声データ）を合成し、例えば、ディスプレイ（図示しない）やスピーカ（図示しない）等の再生手段に出力する。前記映像データや音声データは、ドラマやスポーツ等の「番組」としてユーザにより視聴される。
【００２０】
なお、制御部１０７は、映像データのみを合成部１０３により合成し、音声データは合成部１０３により合成せずにそれぞれの映像のタイミングにあわせてスピーカ等の再生部に出力するように構成してもよい。
【００２１】
図２は、制御部１０７の制御内容を示すフローチャートである。本実施例の放送受信装置は、利用者がジャンルごとに視聴優先度を設定し、視聴したい番組１と番組２のチャンネルを設定すると、設定したチャンネルの番組のジャンルを調べ、番組１と番組２の視聴価値を比べる。視聴価値が異なる場合、視聴価値の高い番組映像を大きく表示し、視聴価値の低い番組映像を小さく表示する。視聴価値が同じ場合、二つの番組を同じサイズで表示する。以下、図２の（ステップ１）〜（ステップ７）の説明を行なう。
【００２２】
（ステップ１）  制御部１０７は、合成部１０３とＯＳＤ作成部１０５を制御し、図３に示すＯＳＤを表示する。図３の全画面表示部２００には、利用者に通知するメッセージ２０１、ジャンル別視聴優先度設定部２０２、ジャンル別視聴優先度有効/無効設定部２０３が表示される。
【００２３】
メッセージ２０１を見た利用者は、リモコン送信機を用いてジャンル別視聴優先度設定部２０２内の優先度を示す数字をジャンル別に設定し、その後、ジャンル別視聴優先度有効設定部２０３のボタン「設定有効」/「設定無効」を押す。制御部１０７は、ジャンル別視聴優先度有効/無効設定部２０３のボタン「設定有効」/「設定無効」が押されると、ジャンルごとの視聴優先度を記憶部（図示しない）に記憶する。
【００２４】
（ステップ２）  制御部１０７は、合成部１０３とＯＳＤ作成部１０５を制御し、図４に示すＯＳＤを表示する。図４の全画面表示部３００には、番組１のチャンネル番号設定部３０１と番組２のチャンネル番号設定部３０２が表示される。利用者は、リモコン送信機を用いて番組１と番組２のチャンネル番号を設定する。
【００２５】
制御部１０７は、利用者が設定したチャンネル番号の番組を受信する為、第１番組受信処理部１０１を構成する第１選局・復調部１０１ｔ、第１分離部１０１ｓ、第１復号部１０１ｄを制御し、番組１を受信すると共に、第２番組受信処理部１０２を構成する第２選局・復調部１０２ｔ、第２分離部１０２ｓ、第２復号部１０２ｄに対し、必要な制御を行なう。
【００２６】
（ステップ３）  制御部１０７は、第１分離部１０１ｓと第２分離部１０２ｓより、分離されたＴＳパケットを取得し、ジャンル解析部１０６にデータを出力し、番組１と番組２のジャンル解析結果を取得する。（ここで記載したジャンルとは、ＡＲＩＢ：社団法人  電波産業界  ＳＴＤ-Ｂ１０に記載された番組配列情報に含まれるＥＩＴ内のコンテンツ記述子に記述されたジャンル情報のことを意味する）。図５にジャンル情報を含むコンテンツ記述子を示す。コンテンツ記述子（Content_descriptor）４００には、ジャンル情報（content_nibble_level_1）４０１が含まれている。図６にジャンルの分類とジャンル情報４０１に含まれる値の関係を示す。図６のジャンル大分類の値５０１は、ジャンル情報（content_nibble_level_1）４０１の値に対応しており、その意味は記述内容５０２に対応している。（ステップ１）において、図３のように「ニュース/報道」を０、「スポーツ」を９、「情報/ワイドショー」を８、「ドラマ」を７、「音楽」を１、「バラエティ」を１１、「映画」を１０、「アニメ/特撮」を６、「ドキュメンタリー/教養」を２、「劇場/公演」を４、「趣味/教育」を３、「福祉」を５としたとき、ジャンル別の優先度は、「ニュース/報道」＞「音楽」＞「ドキュメンタリー/教養」＞「趣味/教育」＞「劇場/公演」＞「福祉」＞「アニメ/特撮」＞「ドラマ」＞「情報/ワイドショー」＞「スポーツ」＞「映画」＞「バラエティ」となり、このような関係から、番組１と番組２の視聴優先度を解析比較する。
【００２７】
（ステップ４）  制御部１０７は、（ステップ３）の比較結果に基づき、番組１と番組２の同じ視聴価値である場合は、（ステップ６）に進み、異なる場合は、（ステップ５）に進むように処理する。
【００２８】
（ステップ５）  制御部１０７は、合成部１０３を制御し、（ステップ４）の比較結果に基づき、視聴価値の高い番組映像と視聴価値の低い番組映像を図８の親画面表示部６０３と子画面表示部６０４にそれぞれ表示する。図８は、親子画面表示機能を実行したときの表示例である。全画面表示部６００全体を親画面表示部６０３とし、親画面表示部６０３の一部に子画面表示部６０４を設け、はめ込むように合成している。
【００２９】
（ステップ６）  制御部１０７は、合成部１０３を制御し、番組１と番組２の映像を図７の左画面表示部６０１と右画面表示部６０２にそれぞれ表示する。図７は、二画面表示機能を実行したときの表示例を示した図である。全画面表示部６００を左右に二分し、左側を左画面表示部６０１、右側を右画面表示部５０２とし、番組１と番組２の映像を表示する。
【００３０】
（ステップ７）  利用者が、電源をオフにした場合、本処理は終了する。電源がオンである場合、（ステップ２）に戻る。
【００３１】
上記のステップに従い制御部１０７が動作することにより、利用者は、ジャンルごとに視聴優先度を設定し、チャンネル番号を設定するだけで、視聴価値が異なる場合は、視聴価値の高い番組映像を親画面、視聴価値の低い番組映像を子画面で視聴し、視聴価値に差がない場合は、番組映像をほぼ同じサイズで視聴することが可能となる。
【００３２】
このように、番組の視聴価値を解析し、解析された視聴価値に応じて表示画面を自動的に調整してくれる機能はユーザにとっての使い勝手がよい機能となる。ここで、番組の視聴価値を解析するとは、受信放送番組に付加された関連情報を利用して視聴価値を決定したり、当該視聴価値を記憶部に一時的に記憶設定したりすることを意味する。
【００３３】
また、上記では、コンテンツ記述子に含まれる情報を用いて説明を行なったが、番組のジャンル情報を取得できることが可能であれば、コンテンツ記述子以外の記述子から情報を取得するように構成しても、同様の効果が得られる。
【実施例２】
【００３４】
次に、図９〜図１３を用いて、実施例２の説明を行なう。図９は、本発明の放送受信装置の実施例２で用いる構成図である。図９の放送受信装置１０９は、図１の放送受信装置１００からジャンル解析部１０６を取り除き、新たに著作権情報解析部１１０を有して構成される。
【００３５】
図１０は、制御部１０７の制御内容を示すフローチャートである。本実施例の放送受信装置は、利用者が著作権状態ごとに視聴優先度を設定し、視聴したい番組１と番組２のチャンネルを設定すると、設定したチャンネルの番組のジャンルを調べ、番組１と番組２の視聴価値を比べる。視聴価値が異なる場合、視聴価値の高い番組映像を大きく表示し、視聴価値の低い番組映像を小さく表示する。視聴価値が同じ場合、二つの番組を同じサイズで表示する。以下、図１０の（ステップ１）〜（ステップ７）の説明を行なう。
【００３６】
（ステップ１）  制御部１０７は、合成部１０３とＯＳＤ作成部１０５を制御し、図１１に示すＯＳＤを表示する。図１１の全画面表示部２０４には、利用者に通知するメッセージ２０５、著作権状態別視聴優先度設定部２０６、著作権状態別視聴優先度有効/無効設定部２０７が表示される。メッセージ２０５を見た利用者は、リモコン送信機を用いて著作権状態別視聴優先度設定部２０６内の優先度を示す数字を著作権状態ごとに設定し、その後、著作権状態別視聴優先度有効設定部２０７のボタン「設定有効」/「設定無効」を押す。
【００３７】
制御部１０７は、著作権状態別視聴優先度有効/無効設定部２０７のボタン「設定有効」/「設定無効」が押されると、著作権状態ごとの視聴優先度を記憶部（図示しない）に記憶するように処理する。
【００３８】
（ステップ２）  図２の（ステップ２）と同じ処理を行なう。
【００３９】
（ステップ３）  制御部１０７は、第１分離部１０１ｓと第２分離部１０２ｓより、分離されたＴＳパケットを取得し、著作権情報解析部１１０にデータを出力し、番組１と番組２の著作権情報の解析結果を取得する。（ここで記載した著作権情報とは、ＡＲＩＢ：社団法人  電波産業界  ＳＴＤ-Ｂ１０に記載された番組配列情報に含まれるＥＩＴ内のデジタルコピー制御記述子に記述されたコピー制限情報のことを意味する。）図１２にコピー（複製）制限情報を含むデジタルコピー制御記述子を示す。
デジタルコピー制御記述子（Digital_copy_control_descriptor）４０２には、著作権情報（digital_recording_control_data）４０３が含まれており、この著作権情報４０３は、番組毎に存在し、図１３に示すデジタルコピー制限情報の値が含まれている。デジタルコピー制限情報値５０３の意味は、記述内容５０４に記載されており、「００」は「制限条件なしにコピー可能である番組」、「１０」は「１世代のみコピー可能な番組」、「１１」は「コピー禁止の番組」であることを示す。例えば、コピー可能である場合とコピー不可能である場合を想定すれば、番組録画して後から視聴できない「コピー不可能な番組」の方が視聴価値は高いということになる。制御部１０７は、番組１と番組２の著作権情報４０３を取得し、（ステップ１）で記録した著作権状態の優先度を基準に、番組１と番組２の視聴価値を比較する。
【００４０】
（ステップ４）〜（ステップ７）  図２の（ステップ４）〜（ステップ７）と同じ処理を行なう。
【００４１】
上記のステップに従い制御部１０７が動作することにより、利用者は、著作権状態ごとに視聴優先度を設定し、チャンネル番号を設定するだけで、視聴価値が異なる場合は、視聴価値の高い番組映像を親画面、視聴価値の低い番組映像を子画面で視聴することが可能となり、視聴価値に差がない場合は、番組映像を同じサイズで視聴することが可能となる。
【００４２】
また、デジタルコピー制限記述子に含まれる情報を用いて説明を行なったが、番組の著作権情報を取得できることが可能であれば、デジタルコピー制限記述子以外の記述子から情報を取得しても、同様の効果が得られる。
【実施例３】
【００４３】
次に、図１４〜図１７を用いて、実施例３の説明を行なう。図１４は、本発明の放送受信装置の実施例３で用いる構成図である。図１４の放送受信装置１１１は、図１の放送受信装置１００からジャンル解析部１０６を取り除き、新たに視聴履歴管理解析部１１２を有して構成される。
【００４４】
図１５は、制御部１０７の制御内容を示すフローチャートである。本実施例の放送受信装置は、利用者が視聴履歴状態ごとに視聴優先度を設定し、視聴したい番組１と番組２のチャンネルを設定すると、設定したチャンネルの番組のジャンルを調べ、番組１と番組２の視聴価値を比べる。視聴価値が異なる場合、視聴価値の高い番組映像を大きく表示し、視聴価値の低い番組映像を小さく表示する。視聴価値が同じ場合、二つの番組を同じサイズで表示する。図１８の（ステップ１）〜（ステップ７）の説明を行なう。
【００４５】
（ステップ１）  制御部１０７は、合成部１０３とＯＳＤ作成部１０５を制御し、図１６に示すＯＳＤを表示する。図１６の全画面表示部２０８には、利用者に通知するメッセージ２０９、視聴履歴状態別視聴優先度設定部２１０、視聴履歴状態別視聴優先度有効/無効設定部２１１が表示される。    
メッセージ２０９を見た利用者は、リモコン送信機を用いて視聴履歴状態別視聴優先度設定部２１０内の番号を視聴履歴状態ごとに設定し、その後、視聴履歴状別視聴優先度有効/無効設定部２１１のボタン「設定有効」/「設定無効」を押す。
【００４６】
制御部１０７は、視聴履歴状態視聴優先度有効/無効設定部２１１のボタン「設定有効」/「設定無効」が押されると、視聴履歴状態ごと視聴優先度を記憶部（図示しない）に記憶する。
【００４７】
（ステップ２）  図２の（ステップ２）と同じ処理を行なう。
【００４８】
（ステップ３）  制御部１０７は、第１分離部１０１ｓと第２分離部１０２ｓより、分離されたＴＳパケットを取得し、視聴履歴管理解析部１１２にデータを出力し、番組１と番組２の番組名と番組詳細情報を取得する。（ここで記載した番組名と番組詳細情報とは、ＡＲＩＢ：社団法人  電波産業界  ＳＴＤ-Ｂ１０に記載された番組配列情報に含まれるＥＩＴ内の短形式イベント記述子に記述された番組名データと番組詳細データのことを意味する。）図２１に番組名データと番組詳細データを含む短形式イベント記述子を示す。短形式イベント記述子（Short_event_descriptor）４０４には、番組名データ（event_name_char）４０５と番組詳細データ（text_char）４０６が含まれており、番組名データ４０５と番組詳細データ４０６は、番組毎に存在する。制御部１０７は、番組１と番組２の番組名データ４０５と番組詳細データ４０６を視聴履歴管理解析部１１２に記憶させると共に、視聴履歴管理解析部１１２に記録されている過去に視聴した番組の番組名データ４０５と番組詳細データ４０６と比較し、過去に視聴済みの番組か否かを判定し、（ステップ１）で記録した視聴履歴状態の優先度を基準に、番組１と番組２の視聴価値の比較を行なう。
【００４９】
（ステップ４）〜（ステップ７）  図２の（ステップ４）〜（ステップ７）と同じ処理を行なう。
【００５０】
上記の処理を行なわせることで、利用者は、視聴履歴状態ごとに視聴優先度を設定し、チャンネル番号を設定するだけで、視聴価値が異なる場合は、視聴価値の高い番組映像を親画面、視聴価値の低い番組映像を子画面で視聴することが可能となり、視聴価値に差がない場合は、番組映像を同じサイズで視聴することが可能となる。
【００５１】
また、短形式イベント記述子に含まれる情報を用いて説明を行なったが、過去の番組視聴履歴を管理することが可能であれば、短形式イベント記述子に以外の記述子から情報を取得しても、同様の効果が得られる。
【実施例４】
【００５２】
次に、図１８〜図２０を用いて、の説明を行なう。図１８は、本発明の放送受信装置の実施例４で用いる構成図である。図１８の放送受信装置１１３は、図１の放送受信装置１００からジャンル解析部１０６を取り除き、新たに再放送解析部１１４を有して構成される。
【００５３】
図１９は、制御部１０７の制御内容を示すフローチャートである。本実施例の放送受信装置は、利用者が再放送状態に対し視聴優先度を設定し、視聴したい番組のチャンネル番号を指定すると、著作権状態から視聴価値の判定を行ない、視聴価値が異なる場合、視聴価値の高い番組映像と、視聴価値の低い番組映像を異なる方法で表示する機能を有する。以下、図２５の（ステップ１）〜（ステップ７）の説明を行なう。
【００５４】
（ステップ１）  制御部１０７は、合成部１０３とＯＳＤ作成部１０５を制御し、図２０に示すＯＳＤを表示する。図２０の全画面表示部２１２には、利用者に通知するメッセージ２１３、再放送状態別視聴優先度設定部２１４、再放送状態別視聴優先度有効/無効設定部２１５が表示される。    
メッセージ２１３を見た利用者は、リモコン送信機を用いて再放送状態別視聴優先度設定部２１４内の番号を再放送状態別に設定し、その後、再放送状態２１５のボタン「設定有効」/「設定無効」を押す。
【００５５】
制御部１０７は、「設定有効」が押されると、再放送状態ごとの視聴優先度を記憶部（図示しない）に記憶する。
【００５６】
（ステップ２）  図２の（ステップ２）と同じ処理を行なう。
【００５７】
（ステップ３）  制御部１０７は、第１分離部１０１ｓと第２分離部１０２ｓより、分離されたＴＳパケットを取得し、再放送解析部１１４にデータを出力し、番組１と番組２に再放送の予定があるか否かを解析し、その結果を取得する。再放送があるか否の判別は、実施例３に記載した短形式イベント記述子（Short_event_descriptor）４０４に含まれる、番組名データ（event_name_char）４０５と番組詳細データ（text_char）４０６を利用する。再放送解析部１１４において、番組１と番組２と同じ番組名データ４０５と番組詳細データ４０６が今後放送されるか調べ、同じ番組名データ４０５と番組詳細データ４０６の場合は、その番組が再放送されると判断する。その判断結果と（ステップ１）で記録した再放送状態の優先度を基準に、番組１と番組２の視聴価値を比較する。
【００５８】
（ステップ４）〜（ステップ７）  図２の（ステップ４）〜（ステップ７）と同じ処理を行なう。
【００５９】
制御部１０７が、上記の処理を行なうことで、利用者は、再放送状態ごとに視聴優先度を設定し、チャンネル番号を設定するだけで、視聴価値が異なる場合は、視聴価値の高い番組映像を親画面、視聴価値の低い番組映像を子画面で視聴することが可能となり、視聴価値に差がない場合は、番組映像を同じサイズで視聴することが可能となる。
【００６０】
また、短形式イベント記述子に含まれる情報を用いて説明を行なったが、再放送の予定を特定することが可能であれば、短形式イベント記述子に以外の記述子から情報を取得しても、同様の効果が得られる。
【実施例５】
【００６１】
次に、図２１、図２２を用いて、実施例５の説明を行なう。図２１は、本発明の放送受信装置の実施例５で用いる構成図である。図２１の放送受信装置１１６は、図１の放送受信装置１００に対し、新たに記録部１１５を有して構成される。
【００６２】
放送受信装置１１６外部に備えた放送アンテナ１０８が、放送信号を受信すると、受信した放送信号は、第１番組受信処理部１０１と第２番組受信処理部１０２に入力される。入力された信号は、第１番組受信処理部１０１と第２選局・復調部１０２ｔにおいて、音声データと映像データが復元され、合成部１０３に出力される。
【００６３】
また、第１分離部１０１ｓにおいて、ＴＳパケットの分離処理により生成されたＴＳパケットは、記録部１１５で記録され、記録部１１５から再生したＴＳパケットは第１分離部１０１ｓにおいて、ＴＳ化される前のＰＥＳ、若しくは、ＥＳに復元される。
【００６４】
第２分離部１０２ｓにおいて復元されたＴＳパケットも同じように、記録部１１５で記録され、記録部１１５から再生したＴＳパケットは第２分離部１０２ｓにおいて、ＴＳ化される前のＰＥＳ、若しくは、ＥＳに復元される。
【００６５】
ユーザＩ/Ｆ１０４は、利用者がリモコン送信機などを用いて操作したときに、リモコン送信機から発信される信号を受信し、利用者が行なった制御内容を制御部１０７に通知する。ＯＳＤ作成部１０５は、制御部１０７からの制御により、画面に図形や文字列を表示する為に必要なデータを作成し、合成部１０３にそのデータを出力する。制御部１０７は、ユーザＩ/Ｆ１０４から利用者が行なった制御内容を受け、第１番組受信処理部１０１を構成する第１選局・復調部１０１ｔ、第１分離部１０１ｓ、第１復号部１０１ｄ、第２番組受信処理部１０２を構成する、第２選局・復調部１０２ｔ、第２分離部１０２ｓ、第２復号部１０２ｄ、合成部１０３、ＯＳＤ作成部１０５、記録部１１５を制御する。合成部１０３は、制御部１０７からの制御により、第１復号部１０１ｄ、第２復号部１０２ｄ、ＯＳＤ作成部１０５から出力されたデータを合成し、外部に出力する。
【００６６】
図２２は、制御部１０７の制御内容を示すフローチャートである。本実施例の放送受信装置は、利用者がジャンルごとに視聴優先度を設定し、視聴したい番組１と番組２のチャンネルを設定すると、設定したチャンネルの番組のジャンルを調べ、番組１と番組２の視聴価値を比べる。視聴価値が異なる場合、視聴価値の高い番組映像を大きく表示し、視聴価値の低い番組映像を小さく表示すると共に、視聴価値の低い番組を録画する。視聴価値が同じ場合、二つの番組を同じサイズで表示する。以下、図２２の（ステップ１）〜（ステップ８）の説明を行なう。
【００６７】
（ステップ１）〜（ステップ５）図２の（ステップ１）〜（ステップ５）と同じ処理を行なう。
【００６８】
（ステップ６）  （ステップ５）で子画面表示部６０４に表示した番組を記録部１１５に記録する。
【００６９】
（ステップ７）  図２の（ステップ６）と同じ処理を行なう。
【００７０】
（ステップ８）  図２の（ステップ７）と同じ処理を行なう。
【００７１】
制御部１０７が、上記の処理を行なうことで、利用者は、ジャンルごとに視聴優先度を設定し、チャンネル番号を設定するだけで、視聴価値が異なる場合は、視聴価値の高い番組映像を親画面、視聴価値の低い番組映像を子画面で視聴することが可能となり、更に都合の良い時間に、録画した番組を再生して、子画面で視聴していた番組を所望のサイズで表示し、視聴することが可能となる。視聴価値に差がない場合は、番組映像を同じサイズで視聴することが可能となる。
【実施例６】
【００７２】
次に、図２３、図２４を用いて、実施例６の説明を行なう。図２３の放送受信装置１１７は、図９の放送受信装置１００に対し、新たに記録部１１５を有して構成される。
以下、図２４の（ステップ１）〜（ステップ８）の説明を行なう。
【００７３】
（ステップ１）〜（ステップ５）  図１５の（ステップ１）〜（ステップ５）と同じ処理を行なう。
【００７４】
（ステップ６）  （ステップ５）で子画面表示部６０４に表示した番組を記録部１１５に記録する。
【００７５】
（ステップ７）  図１５の（ステップ６）と同じ処理を行なう。
【００７６】
（ステップ８）  図１５の（ステップ７）と同じ処理を行なう。
【００７７】
制御部１０７が、上記の処理を行なうことで、利用者は、著作権状態ごとに再放送状態ごとに視聴優先度を設定し、チャンネル番号を設定するだけで、視聴価値が異なる場合は、視聴価値の高い番組映像を親画面、視聴価値の低い番組映像を子画面で視聴することが可能となり、更に都合の良い時間に、録画した番組を再生して、子画面で視聴していた番組を所望のサイズで表示し、視聴することが可能となる。視聴価値に差がない場合は、番組映像を同じサイズで視聴することが可能となる。
【実施例７】
【００７８】
次に、図２５、図２６を用いて、実施例７の説明を行なう。図２５の放送受信装置１１７は、図１４の放送受信装置１１１に対し、新たに記録部１１５を有して構成される。
以下、図２６の（ステップ１）〜（ステップ８）の説明を行なう。
【００７９】
（ステップ１）〜（ステップ５）  図１５の（ステップ１）〜（ステップ５）と同じ処理を行なう。
【００８０】
（ステップ６）  （ステップ５）で子画面表示部６０４に表示した番組を記録部１１５に記録する。
【００８１】
（ステップ７）  図１５の（ステップ６）と同じ処理を行なう。
【００８２】
（ステップ８）  図１５の（ステップ７）と同じ処理を行なう。
【００８３】
制御部１０７が、上記の処理を行なうことで、利用者は、視聴履歴状態ごとに視聴優先度を設定し、チャンネル番号を設定するだけで、視聴価値が異なる場合は、視聴価値の高い番組映像を親画面、視聴価値の低い番組映像を子画面で視聴することが可能となり、更に都合の良い時間に、録画した番組を再生して、子画面で視聴していた番組を所望のサイズで表示し、視聴することが可能となる。視聴価値に差がない場合は、番組映像を同じサイズで視聴することが可能となる。
【実施例８】
【００８４】
次に、図４、図２７、図２８を用いて、実施例８の説明を行なう。図２７の放送受信装置１１９は、図１８の放送受信装置１１３に対し、新たに記録部１１５を有して構成される。
【００８５】
図２８は、制御部１０７の制御内容を示すフローチャートである。本実施例の放送受信装置は、利用者が再放送状態に対し視聴優先度を設定し、視聴したい番組のチャンネル番号を指定すると、再放送状態から視聴価値を調べ、視聴価値が異なる場合は、親子画面表示機能を実行して、視聴価値の高い番組映像を親画面、視聴価値の低い番組映像を子画面に表示し、更に、子画面に表示した番組を記録媒体に記録し、都合の良い時間に、所望のサイズで表示することを可能にする。視聴価値に差がない場合は、番組映像を同じサイズで視聴することを可能にする。以下、図２８の（ステップ１）〜（ステップ７）の説明を行なう。以下、図２８の（ステップ１）〜（ステップ８）の説明を行なう。
【００８６】
（ステップ１）〜（ステップ５）  図１９の（ステップ１）〜（ステップ５）と同じ処理を行なう。
【００８７】
（ステップ６）（ステップ５）で子画面表示部６０４に表示した番組を記録部１１５に記録する。
【００８８】
（ステップ７）  図１９の（ステップ６）と同じ処理を行う。
【００８９】
（ステップ８）  図１９の（ステップ７）と同じ処理を行う。
【００９０】
以上述べてきたように、制御部１０７に上記の処理を行なわせることで、利用者は、再放送状態ごとに視聴優先度を設定し、チャンネル番号を設定するだけで、視聴価値が異なる場合は、視聴価値の高い番組映像を親画面、視聴価値の低い番組映像を子画面で視聴することが可能となり、更に都合の良い時間に、録画した番組を再生して、子画面で視聴していた番組を所望のサイズで表示し、視聴することが可能となる。視聴価値に差がない場合は、番組映像を同じサイズで視聴することが可能となり、使い勝手がよい。
【００９１】
また、上記実施例１乃至８において、ディスプレイ等に映写される表示画面が、ユーザにより設定された値と受信された番組関連情報に基づいて決定された視聴価値により自動的に調整されることについて述べてきたが、表示画面の自動調整を忌避するユーザのことを考慮して、表示画面の調整を視聴価値にかかわらず手動で行えるように構成しても構わない。その場合において、例えば、放送番組を２画面等で表示する前に、表示画面を「自動調整」にするか「手動調整」にするかをユーザ自身が選択できるようになるため、使い勝手は更に向上する。これは後述する実施例においても言える効果である。
【００９２】
尚、本実施例では、親子画面表示機能と二画面表示機能を例に説明を行なったが、これらの例に限定するものではない。視聴価値が異なる場合は、視聴価値の高い番組映像と低い番組映像を異なる方法で表示するようにしても、同様の効果が得られる。例えば、視聴価値が高い番組の場合は画像輝度を上昇させたり、当該番組を再生する表示画面に枠をかけたりしてユーザに視聴しやすい表示形態を出力するように構成する。これらの表示形態に関するデータは、例えば、記憶部（図示しない）に記憶され、当該データに基づいて制御部１０７が表示形態を制御する。
【００９３】
なお、上記例５乃至８では、視聴価値が低いと判断された番組等を子画面に表示し、自動的に当該番組を録画するように構成したが、これに限定する必要は無い。例えば、視聴価値が低い方を親画面に表示し、視聴価値が高い方を子画面に表示するとともに録画を行うようにしてもよい。このようにすれば、とりあえず今は視聴価値の低い方を見て、視聴価値の高い番組はあとでゆっくり見たいといった場合において使い勝手がよい。また、録画開始する前に録画確認の表示画面等を出力する構成をとってもよい。これにより、更なる使い勝手の向上が図れる。
【００９４】
更に、上述してきた実施形態を組み合わせて新しく実施形態を構成することができることは言うまでもない。また、本発明は、上記に示された実施形態に限定されるものではなく、ここに開示された原理及び新しい特性は広範囲の技術的範囲を含むものである。
【図面の簡単な説明】
【００９５】
【図１】本発明の放送受信装置の第１実施例で用いる構成図である。
【図２】図１の制御部の処理内容を示すフローチャートである。
【図３】ジャンル別視聴優先度設定用ＯＳＤを示す図である。
【図４】チャンネル番号設定用のＯＳＤを示す図である。
【図５】コンテンツ記述子の構造を示す図である。
【図６】ジャンル情報の値とその意味との関係を示す表である。
【図７】二画面表示機能を示す図である。
【図８】親子画面表示機能を示す図である。
【図９】本発明の放送受信装置の実施例２で用いる構成図である。
【図１０】図９の制御部の処理内容を示すフローチャートである。
【図１１】著作権情報別視聴優先度設定用ＯＳＤを示す図である。
【図１２】デジタルコピー制限記述子の構造を示す図である。
【図１３】デジタルコピー制限情報の値とその意味との関係を示す表である。
【図１４】本発明の放送受信装置の実施例３で用いる構成図である。
【図１５】図１４の制御部の処理内容を示すフローチャートである。
【図１６】視聴履歴状態別視聴優先度設定用ＯＳＤを示す図である。
【図１７】短形式イベント記述子の構造を示す図である。
【図１８】本発明の放送受信装置の実施例４で用いる構成図である。
【図１９】図１８の制御部の処理内容を示すフローチャートである。
【図２０】再放送状態別視聴優先度設定用ＯＳＤを示す図である。
【図２１】本発明の放送受信装置の実施例５で用いる構成図である。
【図２２】図２１の制御部の処理内容を示すフローチャートである。
【図２３】本発明の放送受信装置の実施例６で用いる構成図である。
【図２４】図２３の制御部の処理内容を示すフローチャートである。
【図２５】本発明の放送受信装置の実施例７で用いる構成図である。
【図２６】図２５の制御部の処理内容を示すフローチャートである。
【図２７】本発明の放送受信装置の実施例８で用いる構成図である。
【図２８】図２７の制御部の処理内容を示すフローチャートである。
【図２９】二画面表示機能を示す図である。
【図３０】親子画面表示機能を示す図である。
【図３１】マルチ画面表示機能を示す図である。
【符号の説明】
【００９６】
１００…放送受信装置  １０１…第１番組受信処理部  １０１ｔ…第１選局・復調部  １０１ｓ…第１分離部  １０１ｄ…第１復号部  １０２…第２番組受信処理部  １０２ｔ…第２選局・復調部  １０２ｓ…第２分離部  １０２ｄ…第２復号部  １０３…合成表示部  １０４…ユーザＩ/Ｆ  １０５…ＯＳＤ作成部  １０６…ジャンル解析部  １０７…制御部  １０８…放送アンテナ  １０９…放送受信装置  １１０…著作権情報解析部  １１１…放送受信装置  １１２…視聴履歴管理解析部  １１３…放送受信装置  １１４…再放送解析部  １１５…記録部  １１６…放送受信装置  １１７…放送受信装置  １１８…放送受信装置  １１９…放送受信装置  ２００…全画面表示部  ２０１…メッセージ  ２０２…ジャンル別視聴優先度設定部  ２０３…ジャンル別視聴優先度有効/無効設定部  ２０４…全画面表示部  ２０５…メッセージ  ２０６…著作権状態別視聴優先度設定部  ２０７…著作権状態別視聴優先度有効/無効設定部  ２０８…全画面表示部  ２０９…メッセージ  ２１０…視聴履歴状態別視聴優先度設定部  ２１１…視聴履歴状態別視聴優先度有効/無効設定部  ２１２…全画面表示部  ２１３…メッセージ  ２１４…再放送状態別視聴優先度設定部  ２１５…再放送状態別視聴優先度有効/無効設定部  ３００…全画面表示部  ３０１…番組１のチャンネル番号設定部  ３０３…番組２のチャンネル番号設定部  ４００…コンテンツ記述子  ４０１…ジャンル情報  ４０２…デジタルコピー制限記述子  ４０３…著作権情報  ４０４…短形式イベント記述子  ４０５…番組名テキストデータ  ４０６…番組詳細テキストデータ  ５０１…ジャンル大分類値  ５０２…記述内容  ５０３…デジタルコピー制限情報値  ５０４…記述内容  ６００…全画面表示部  ６０１…左画面表示部  ６０２…右画面表示部  ６０３…親画面表示部  ６０４…子画面表示部  ７００…全画面表示部、７０１…左画面表示部、７０２…右画面表示部、７０３…親画面表示部、７０４…子画面表示部、７０５…マルチ親画面表示部、７０６…マルチ子画面表示部
【図１】
2006093754.tif 000003
【図２】
2006093754.tif 000004
【図３】
2006093754.tif 000005
【図４】
2006093754.tif 000006
【図５】
2006093754.tif 000007
【図６】
2006093754.tif 000008
【図７】
2006093754.tif 000009
【図８】
2006093754.tif 000010
【図９】
2006093754.tif 000011
【図１０】
2006093754.tif 000012
【図１１】
2006093754.tif 000013
【図１２】
2006093754.tif 000014
【図１３】
2006093754.tif 000015
【図１４】
2006093754.tif 000016
【図１５】
2006093754.tif 000017
【図１６】
2006093754.tif 000018
【図１７】
2006093754.tif 000019
【図１８】
2006093754.tif 000020
【図１９】
2006093754.tif 000021
【図２０】
2006093754.tif 000022
【図２１】
2006093754.tif 000023
【図２２】
2006093754.tif 000024
【図２３】
2006093754.tif 000025
【図２４】
2006093754.tif 000026
【図２５】
2006093754.tif 000027
【図２６】
2006093754.tif 000028
【図２７】
2006093754.tif 000029
【図２８】
2006093754.tif 000030
【図２９】
2006093754.tif 000031
【図３０】
2006093754.tif 000032
【図３１】
2006093754.tif 000033